【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
端末からの印刷要求に応じて所定の処理を行い印刷用の印刷処理データを取得する印刷制御装置の制御方法であって、
印刷データ受信手段が、前記端末から印刷データを受信する印刷データ受信ステップと、
第1の画像ＩＤ抽出手段が、前記印刷データが有する画像データから、前記画像データが有する画像ＩＤを抽出する第１の画像ＩＤ抽出ステップと、
処理方法抽出手段が、印刷データが有する情報に対応づけて前記印刷データの処理方法を記憶した処理方法記憶手段を、前記画像ＩＤをキーとして参照し、前記印刷データの前記処理方法を抽出する処理方法抽出ステップと、
印刷処理データ取得手段が、前記画像ＩＤに対応づけて前記印刷処理データが格納されている出力データベースから、前記画像ＩＤに対応づけられた前記印刷処理データを取得する印刷処理データ取得ステップと、
を有することを特徴とする印刷制御装置の制御方法。
【請求項２】
前記処理方法抽出ステップは、前記画像データが有する画像ＩＤを抽出するのでなく、
画像検索手段が、前記端末から受信した前記画像データの画像と同一又は類似の類似画像を、予め所定の画像データを記憶する画像データ記憶手段から、検索する画像検索ステップと、
第２の画像ＩＤ抽出手段が、前記画像検索手段が検索した前記類似画像に基づき、前記画像データの画像ＩＤを抽出する第２の画像ＩＤ抽出ステップと、
を有することを特徴とする請求項１記載の印刷制御装置の制御方法。
【請求項３】
前記印刷処理データが有する画像データは、前記印刷データが有する画像データよりも高画質であることを特徴とする、
請求項１記載の印刷制御装置の制御方法。
【請求項４】
認証手段が、前記端末を操作するユーザの認証を行う認証ステップを有し、
前記認証ステップの結果、前記ユーザが承認されない場合、前記印刷処理データ取得ステップでは、前記印刷データが有する画像データよりも低画質の画像データを含む前記印刷処理データを取得するか、又は、前記印刷処理データを取得しない、
ことを特徴とする請求項１記載の印刷制御装置の制御方法。
【請求項５】
前記低画質の画像データは、前記印刷データが有する前記画像データよりも画素数の少ない画像データ、前記印刷データが有する前記画像データに記号を付加した画像データ、輝度が略一定の画像データ、又は、前記印刷データが有する前記画像データと異なる画像データ、である、
ことを特徴とする請求項４記載の印刷制御装置の制御方法。
【請求項６】
前記処理方法抽出ステップでは、所定の文字列に対応づけて前記処理方法を記憶した前記処理方法記憶手段を、前記印刷データ受信ステップにより受信した前記印刷データが有する文字列をキーとして参照し、
前記文字列に対応する前記処理方法を抽出する、
ことを特徴とする請求項１記載の印刷制御装置の制御方法。
【請求項７】
前記処理方法は、前記文字列を解読不能な記述に差し替える処理を規定する、
ことを特徴とする請求項６記載の印刷制御装置の制御方法。
【請求項８】
端末からの印刷要求に応じて所定の処理を行い印刷用の印刷処理データを取得する印刷制御装置であって、
前記端末から印刷データを受信する印刷データ受信手段と、
前記端末から受信した印刷データが有する情報に対応づけて前記印刷データの処理方法を記憶した処理方法記憶手段と、
前記印刷データが有する画像データから、前記画像データが有する画像ＩＤを抽出する第１の画像ＩＤ抽出手段と、
前記画像ＩＤをキーとして前記処理方法記憶手段を参照し、前記画像ＩＤに対応づけられた前記印刷データの前記処理方法を抽出する処理方法抽出手段と、
前記画像ＩＤに対応づけて前記印刷処理データが格納されている出力データベースから、前記画像ＩＤに対応づけられた前記印刷処理データを取得する印刷処理データ取得手段と、
を有することを特徴とする印刷制御装置。
【請求項９】
前記処理方法抽出手段は、前記画像データが有する画像ＩＤを抽出するのでなく、
前記端末から受信した前記画像データの画像と同一又は類似の類似画像を、予め所定の画像データを記憶する画像データ記憶手段から検索する画像検索手段と、
前記画像検索手段が検索した前記類似画像に基づき、前記画像データの画像ＩＤを抽出する第２の画像ＩＤ抽出手段と、
を有することを特徴とする請求項８記載の印刷制御装置。
【請求項１０】
前記印刷処理データが有する画像データは、前記印刷データが有する画像データよりも高画質であることを特徴とする、
請求項９記載の印刷制御装置。
【請求項１１】
前記端末を操作するユーザを認証する認証手段を有し、
前記認証手段によりユーザが承認されない場合、前記印刷処理データ取得手段は、前記印刷データが有する画像データよりも低画質の画像データを含む前記印刷処理データを取得するか、又は、前記印刷処理データを取得しない、
ことを特徴とする請求項８記載の印刷制御装置。
【請求項１２】
前記低画質の画像データは、前記印刷データが有する前記画像データよりも画素数の少ない画像データ、前記印刷データが有する前記画像データに記号を付加した画像データ、輝度が略一定の画像データ、又は、前記印刷データが有する前記画像データと異なる画像データ、である、
ことを特徴とする請求項１１記載の印刷制御装置。
【請求項１３】
前記処理方法記憶手段は所定の文字列に対応づけて前記処理方法を記憶しており、
前記処理方法抽出手段は、前記印刷データ受信手段が受信した前記印刷データが有する文字列をキーとして、前記処理方法記憶手段を参照し、前記文字列に対応する前記処理方法を抽出する、
ことを特徴とする請求項８記載の印刷制御装置。
【請求項１４】
前記処理方法は、前記文字列を解読不能な記述に差し替える処理を規定する、
ことを特徴とする請求項１３記載の印刷制御装置。
【請求項１５】
端末からの印刷要求に応じて、該端末とネットワークを介して接続された印刷制御装置が所定の処理を行い印刷用の印刷処理データを取得する印刷システムであって、
前記印刷制御装置は、
前記端末から印刷データを受信する印刷データ受信手段と、
前記端末から受信した印刷データが有する情報に対応づけて前記印刷データの処理方法を記憶した処理方法記憶手段と、
前記印刷データが有する画像データから、前記画像データが有する画像ＩＤを抽出する第１の画像ＩＤ抽出手段と、
前記画像ＩＤをキーとして前記処理方法記憶手段を参照し、前記画像ＩＤに対応づけられた前記印刷データの前記処理方法を抽出する処理方法抽出手段と、
前記画像ＩＤに対応づけて前記印刷処理データが格納されている出力データベースから、前記画像ＩＤに対応づけられた前記印刷処理データを取得する印刷処理データ取得手段と、
を有することを特徴とする印刷システム。
【請求項１６】
前記処理方法記憶手段は所定の文字列に対応づけて前記処理方法を記憶しており、
前記処理方法抽出手段は、前記印刷データ受信手段が受信した前記印刷データが有する文字列をキーとして、前記処理方法記憶手段を参照し、前記文字列に対応する前記処理方法を抽出する、
ことを特徴とする請求項１５記載の印刷システム。
【請求項１７】
前記端末は、
印刷対象の前記印刷データを提供する印刷対象提供手段から該印刷データを取得する印刷データ取得手段と、
前記印刷データを前記印刷制御装置へ送信する印刷データ送信手段と、
前記印刷制御装置から前記印刷処理データを受信する印刷処理データ受信手段と、
前記印刷処理データにより前記印刷データの少なくとも一部を差し替える印刷データ差し替え手段と、
前記印刷データ差し替え手段が差し替えた前記印刷データをプリンタへ送出するプリンタ通信手段と、
を有することを特徴とする請求項１５記載の印刷システム。
【請求項１８】
コンピュータに、
端末からの印刷要求に応じて所定の処理を行い印刷用の印刷処理データを取得させる印刷処理プログラムであって、
前記端末から印刷データを受信する印刷データ受信ステップと、
前記印刷データが有する画像データから、前記画像データが有する画像ＩＤを抽出する第１の画像ＩＤ抽出ステップと、
印刷データが有する情報に対応づけて前記印刷データの処理方法を記憶した処理方法記憶手段を、前記画像ＩＤをキーとして参照し、前記印刷データの前記処理方法を抽出する処理方法抽出ステップと、
前記画像ＩＤに対応づけて前記印刷処理データが格納されている出力データベースから、前記画像ＩＤに対応づけられた前記印刷処理データを取得する印刷処理データ取得ステップと、
を実行させることを特徴とする印刷処理プログラム。
【請求項１９】
端末からの印刷要求に応じて所定の処理を行い印刷用の印刷処理データを取得する印刷制御装置であって、
前記端末から印刷データを受信する印刷データ受信手段と、
前記端末から受信した印刷データが有する情報に対応づけて前記印刷データの処理方法を記憶した処理方法記憶手段と、
前記印刷データが有する画像データから、前記画像データが有する画像ＩＤを抽出する第１の画像ＩＤ抽出手段と、
前記画像ＩＤをキーとして前記処理方法記憶手段を参照し、前記画像ＩＤに対応づけられた前記印刷データの前記処理方法を抽出する処理方法抽出手段と、
前記画像ＩＤに対応づけて前記印刷処理データが格納されている出力データベースから、前記画像ＩＤに対応づけられた前記印刷処理データを取得する印刷処理データ取得手段と、
を有する印刷制御装置に、
印刷データを送信するコンピュータを、
印刷対象の印刷データを提供する印刷対象提供手段から該印刷データを取得する印刷データ取得手段、
前記印刷データを前記印刷制御装置へ送信する印刷データ送信手段、
前記印刷制御装置から前記印刷処理データを受信する印刷処理データ受信手段、
前記印刷処理データにより前記印刷データの少なくとも一部を差し替える印刷データ差し替え手段、
前記印刷データ差し替え手段が差し替えた前記印刷データをプリンタへ送出するプリンタ通信手段、
として機能させることを特徴とするプリンタドライバプログラム。
【請求項２０】
印刷対象の印刷データを提供する印刷対象提供手段と、プリンタへ印刷データを送信するプリンタドライバプログラムとの間を仲介する仮想プリンタドライバプログラムであって、
印刷用の印刷処理データを取得するため、前記プリンタドライバプログラムから印刷データを受信する印刷データ受信手段と、
前記端末から受信した印刷データが有する情報に対応づけて前記印刷データの処理方法を記憶した処理方法記憶手段と、
前記印刷データが有する画像データから、前記画像データが有する画像ＩＤを抽出する第１の画像ＩＤ抽出手段と、
前記画像ＩＤをキーとして前記処理方法記憶手段を参照し、前記画像ＩＤに対応づけられた前記印刷データの前記処理方法を抽出する処理方法抽出手段と、
前記画像ＩＤに対応づけて前記印刷処理データが格納されている出力データベースから、前記画像ＩＤに対応づけられた前記印刷処理データを取得する印刷処理データ取得手段と、
を有する印刷制御装置に、
印刷データを送信するコンピュータを、
印刷対象の印刷データを提供する印刷対象提供手段から該印刷データを取得する印刷データ取得手段、
前記印刷データを前記印刷制御装置へ送信する印刷データ送信手段、
前記印刷制御装置から前記印刷処理データを受信する印刷処理データ受信手段、
前記印刷処理データにより前記印刷データの少なくとも一部を差し替える印刷データ差し替え手段、
前記印刷データ差し替え手段が差し替えた前記印刷データを前記プリンタドライバプログラムへ送出するプリンタ通信手段、
として実現させることを特徴とする仮想プリンタドライバプログラム。
【手続補正２】
【補正対象書類名】明細書
【補正対象項目名】０００６
【補正方法】変更
【補正の内容】
【０００６】
上記問題を解決するため、本発明は、端末（例えば、コンピュータ２）からの印刷要求に応じて所定の処理を行い印刷用の印刷処理データを取得する印刷制御装置（例えば、プリント制御サーバ３）の制御方法であって、印刷データ受信手段が、前記端末から印刷データを受信する印刷データ受信ステップと、第1の画像ＩＤ抽出手段が、前記印刷データが有する画像データから、前記画像データが有する画像ＩＤを抽出する第１の画像ＩＤ抽出ステップと、処理方法抽出手段が、印刷データが有する情報（識別情報、印刷対象のテキスト、画像データ等、印刷データから抽出できる情報）に対応づけて前記印刷データの処理方法を記憶した処理方法記憶手段（例えば、制御ＤＢ１５、テキスト制御ＤＢ１００）を、前記画像ＩＤをキーとして参照し、前記印刷データの前記処理方法を抽出する処理方法抽出ステップと、印刷処理データ取得手段が、前記画像ＩＤに対応づけて前記印刷処理データが格納されている出力データベースから、前記画像ＩＤに対応づけられた前記印刷処理データを取得する印刷処理データ取得ステップと、を有することを特徴とする。
【手続補正３】
【補正対象書類名】明細書
【補正対象項目名】０００７
【補正方法】変更
【補正の内容】
【０００７】
本発明によれば、情報の漏洩を防止して、また、サーバに印刷を依頼する機能を個々のアプリケーションに組み込むことなくサーバによる印刷管理が可能な印刷処理方法を提供できる。本発明によれば、画像をプリント制御サーバに送信するだけで画像ＩＤを抽出できるので、送信した画像に応じた制御を制御ＤＢから抽出できる。
【手続補正４】
【補正対象書類名】明細書
【補正対象項目名】０００８
【補正方法】変更
【補正の内容】
【０００８】
また、本発明の一形態において、前記処理方法抽出ステップは、前記画像データが有する画像ＩＤを抽出するのでなく、画像検索手段が、前記端末から受信した前記画像データの画像と同一又は類似の類似画像を、予め所定の画像データを記憶する画像データ記憶手段から、検索する画像検索ステップと、第２の画像ＩＤ抽出手段が、前記画像検索手段が検索した前記類似画像に基づき、前記画像データの画像ＩＤを抽出する第２の画像ＩＤ抽出ステップと、を有することを特徴とする。
【手続補正５】
【補正対象書類名】明細書
【補正対象項目名】０００９
【補正方法】変更
【補正の内容】
【０００９】
本発明によれば、画像をプリント制御サーバに送信するだけで類似する画像を検出し、類似する画像から画像ＩＤを取得できるので、送信した画像が画像ＩＤを持っていなくても、画像に応じた制御を制御ＤＢから抽出できる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】